【手続補正書】
【提出日】令和1年12月20日(2019.12.20)
【手続補正１】
【補正対象書類名】特許請求の範囲
【補正対象項目名】全文
【補正方法】変更
【補正の内容】
【特許請求の範囲】
【請求項１】
撮像手段を用いて間欠的な撮像を実行するモードを設定できる撮像装置であって、
前記モードにおいて、間欠的な撮像における連続した第１の撮像と第２の撮像のために、それぞれ被写体の状態を検出する第１の被写体検出と第２の被写体検出を行う検出手段と、
前記検出手段の検出結果に基づいて間欠的な撮像における撮像動作を制御する撮像制御手段と、
前記撮像手段に係る画面内において、前記検出手段による前記第１の被写体検出と前記第２の被写体検出との検出結果の差が所定値よりも大きい領域の割合が所定の割合よりも小さいか否かを判定する判定手段と、
を有し、
前記撮像制御手段は、前記モードにおいて、前記判定手段により判定結果に応じて、前記モードにおける前記間欠的な撮像に係る撮像動作を制御することを特徴とする撮像装置。
【請求項２】
前記撮像制御手段は、前記モードにおいて、前記領域の割合が前記所定の割合よりも小さい場合に、前記第２の被写体検出の結果に対して前記第１の被写体検出による検出結果を所定の比率以上用いて前記第２の撮像の撮像動作を制御し、前記領域の割合が前記所定の割合以上の場合は、前記第２の被写体検出による検出結果に対して前記第１の被写体検出による検出結果を前記所定の比率よりも少なく用いて前記第２の撮像の撮像動作を制御することを特徴とする請求項１に記載の撮像装置。
【請求項３】
前記撮像制御手段は、前記領域の割合が前記所定の割合よりも小さくなる回数が所定数以上である場合に、前記領域の割合が前記所定の割合よりも小さいと判定することを特徴とする請求項２に記載の撮像装置。
【請求項４】
前記モードにおいて、前記間欠的な撮像における前記第１の撮像と前記第２の撮像との撮像間隔に基づいて前記所定数を決定する計測手段を有することを特徴とする請求項３に記載の撮像装置。
【請求項５】
前記計測手段は、前記第１の撮像と前記第２の撮像とが第１の間隔である場合よりも、前記第１の撮像と前記第２の撮像とが前記第１の間隔よりも短い第２の間隔である場合の方が、前記所定数を少なくすることを特徴とする請求項４に記載の撮像装置。
【請求項６】
前記検出手段は、被写体検出の検出結果として被写体の輝度値または色情報を検出することを特徴とする請求項１乃至５の何れか一項に記載の撮像装置。
【請求項７】
前記検出手段は、前記第１の撮像と前記第２の撮像との間に前記第２の被写体検出を含む複数回の被写体検出を行い、
前記判定手段は、前記複数回の被写体検出の検出結果に基づいて、前記領域の割合を決めることを特徴とする請求項１乃至６の何れか一項に記載の撮像装置。
【請求項８】
前記撮像制御手段は、前記領域の割合が前記所定の割合よりも小さい場合に、前記第２の撮像に用いる被写体検出の結果として、前記複数回の測定結果に依らず、前記第１の撮像に用いた被写体検出の結果のみを用いるように前記第２の撮像の撮像動作を制御することを特徴とする請求項７に記載の撮像装置。
【請求項９】
撮像手段と、
前記撮像手段を用いて間欠的に被写体を撮像して、タイムラプス動画の生成に用いる複数の画像を取得する所定のモードにおいて、前記撮像手段から出力される画像の画面内で局所的に明るさが変化している否かを判定し、前記判定の結果に基づいて前記複数の画像を取得する際の露出を制御する露出制御手段と、を有し、
前記露出制御手段は、前記画面内において明るさが変化している領域の割合が、所定の割合以下である場合に、前記画面内で局所的に明るさが変化していると判定することを特徴とする撮像装置。
【請求項１０】
前記露出制御手段は、前記画面内で局所的に明るさが変化していると判定された場合は、前記撮像手段による前記間欠的な撮像におけるｎ回目の撮像により得られる画像の明るさが、ｎ−１回目の撮像により得られた画像の明るさに対応した明るさとなるように、前記撮像手段による前記ｎ回目の撮像における露出を制御することを特徴とする請求項９に記載の撮像装置。
【請求項１１】
前記露出制御手段は、前記画面内で局所的に明るさが変化していると判定されない場合は、前記ｎ回目の撮像に関連して取得された、被写体の状態に関する情報に基づいて、前記ｎ回目の撮像における露出を制御することを特徴とする請求項１０に記載の撮像装置。
【請求項１２】
前記露出制御手段は、前記ｎ−１回目の撮像から前記ｎ回目の撮像までの間において、前記画面内で局所的に明るさが変化していると判定された回数に基づいて、前記ｎ回目の撮像における露出を制御することを特徴とする１０又は１１に記載の撮像装置。
【請求項１３】
撮像手段を用いて間欠的な撮像を実行する撮像装置の制御方法であって、
間欠的な撮像における連続した第１の撮像と第２の撮像のために、それぞれ被写体の状態を検出する第１の被写体検出と第２の被写体検出を行う検出工程と、
前記検出工程での検出結果に基づいて間欠的な撮像における撮像動作を制御する撮像制御工程と、
前記撮像手段に係る画面内において、前記検出工程での前記第１の被写体検出と前記第２の被写体検出との検出結果の差が所定値よりも大きい領域の割合が所定の割合よりも小さいか否かを判定する判定工程と、を有し、
前記撮像制御工程では、前記判定工程での判定結果に応じて、前記間欠的な撮像に係る撮像動作を制御することを特徴とする撮像装置の制御方法。
【請求項１４】
前記測定工程では、被写体測定の測定結果として被写体の輝度値または色情報を取得することを特徴とする請求項１３に記載の撮像装置の制御方法。
【請求項１５】
撮像手段を備えた撮像装置の制御方法であって、
前記撮像手段を用いて間欠的に被写体を撮像して、タイムラプス動画の生成に用いる複数の画像を取得する所定のモードにおいて、前記撮像手段から出力される画像の画面内で局所的に明るさが変化している否かを判定し、前記判定の結果に基づいて前記複数の画像を取得する際の露出を制御する露出制御工程を有し、
前記露出制御工程では、前記画面内において明るさが変化している領域の割合が、所定の割合以下である場合に、前記画面内で局所的に明るさが変化していると判定することを特徴とする撮像装置の制御方法。
【請求項１６】
前記被写体測定値は、被写体の輝度情報または色情報を含むことを特徴とする請求項１５に記載の撮像装置の制御方法。
【請求項１７】
請求項１３乃至１６の何れか一項に記載の撮像装置の制御方法をコンピュータで実行させるためのコンピュータで読み取り可能なプログラム。
【請求項１８】
請求項１７のプログラムを記録した、コンピュータで読み取り可能な記録媒体。
【手続補正２】
【補正対象書類名】明細書
【補正対象項目名】０００８
【補正方法】変更
【補正の内容】
【０００８】
上記目的を達成するために、本発明の撮像装置は、撮像手段を用いて間欠的な撮像を実行するモードを設定できる撮像装置であって、前記モードにおいて、間欠的な撮像における連続した第１の撮像と第２の撮像のために、それぞれ被写体の状態を検出する第１の被写体検出と第２の被写体検出を行う検出手段と、前記検出手段の検出結果に基づいて間欠的な撮像における撮像動作を制御する撮像制御手段と、前記撮像手段に係る画面内において、前記検出手段による前記第１の被写体検出と前記第２の被写体検出との検出結果の差が所定値よりも大きい領域の割合が所定の割合よりも小さいか否かを判定する判定手段と、を有し、前記撮像制御手段は、前記モードにおいて、前記判定手段により判定結果に応じて、前記モードにおける前記間欠的な撮像に係る撮像動作を制御することを特徴とする。